(57)【要約】      （修正有）【課題】シート状の製品を使い切った場合であっても、有効に利用することができる紙管を提供する。【解決手段】シートが巻き付けられる紙管１であって、紙管１の表面に、複数の管理用マーク３が設けられている。【選択図】図２
0003231484.tif 000002
【実用新案登録請求の範囲】
【請求項１】
シートが巻き付けられる紙管であって、
前記紙管の表面に、複数の管理用マークが設けられていることを特徴とする紙管。
【請求項２】
前記管理用マークが、バーコードまたはＱＲコード（登録商標）であることを特徴とする請求項１に記載の紙管。
【請求項３】
前記シートが、ラベル連続体であることを特徴とする請求項１または請求項２に記載の紙管。
【考案の詳細な説明】
【技術分野】
【０００１】
本校案は、ラベル連続体等のシート状の製品が巻き付けられる紙管に関する。
【背景技術】
【０００２】
従来、ラベル連続体や粘着テープ等のシートがロール状になっている製品は、中心部にシートの芯となる紙管を有しており、この紙管にシートが巻き付けられることにより、ロール状の製品が構成されている。
【０００３】
より具体的には、例えば、帯状の剥離材にラベル基材を貼り付けた帯状ラベルを芯材である紙管に巻き付けたラベル巻体が開示されている（例えば、特許文献１参照）。
【先行技術文献】
【特許文献】
【０００４】
【特許文献１】特開２００３−１０４５９４号公報
【考案の概要】
【考案が解決しようとする課題】
【０００５】
ここで、上記従来のラベル巻体においては、紙管に巻き付けられたシート状の製品を使い切ると、残った紙管自体に価値がなくなるため、紙管は廃棄されていたが、製造者または販売者の観点から、この紙管に付加的な機能を付与することができれば、シート状の製品を使い切った場合であっても、紙管を有効に利用することが可能になる。
【０００６】
そこで、本考案は、上述の問題に鑑みてなされたものであり、シート状の製品を使い切った場合であっても、有効に利用することができる紙管を提供することを目的とする。
【課題を解決するための手段】
【０００７】
上記目的を達成するために、第１の考案では、シートが巻き付けられる紙管であって、紙管の表面に、複数の管理用マークが設けられていることを特徴とする。
【０００８】
上記構成によると、簡単な構成により、複数の情報に関する管理が可能となる紙管を提供することができる。
【０００９】
また、第２の考案では、第１の考案において、管理用マークが、バーコードまたはＱＲコード（登録商標）であることを特徴とする。
【００１０】
また、第３の考案では、第１または第２の考案において、シートが、ラベル連続体であることを特徴とする。
【考案の効果】
【００１１】
本考案によれば、簡単な構成により、複数の情報に関する管理が可能となる紙管を提供することができる。
【図面の簡単な説明】
【００１２】
【図１】本考案に係る紙管に巻き付けられたラベル連続体を示す斜視図である。
【図２】本考案に係る紙管を示す斜視図である。
【図３】本考案の変形例に係る紙管を示す斜視図である。
【考案を実施するための形態】
【００１３】
以下、本考案の実施形態を図面に基づいて詳細に説明する。なお、本考案は、以下の各実施形態に限定されるものではない。
【００１４】
図１は、本考案に係る紙管に巻き付けられたラベル連続体を示す斜視図であり、図２は、本考案に係る紙管を示す斜視図である。
【００１５】
図１に示すように、本考案の紙管１は、例えば、ラベル連続体（例えば、粘着テープ）やトイレットペーパー、レシート等のシート２が巻き付けられるものであり、シート２の芯となるものである。そして、この紙管１にシート２が巻き付けられることにより、図１に示すロール状の製品が構成されている。
【００１６】
紙管１は、帯状のシート２を巻回するためのものであり、図１に示すように、略中空円筒形状を有している。
【００１７】
この紙管１としては、例えば、紙、ポリエチレン、アクリロニトリル・ブタジエン・スチレン樹脂（ＡＢＳ）、高密度ポリエチレン（ＨＤＰＥ）、ポリ塩化ビニル、繊維強化プラスチック（ＦＲＰ）、ポリプロピレン、ベークライト等を用いることができる。
【００１８】
シート２としては、例えば、シート状の基材と、基材の表面に設けられ、加熱によって発色する感熱記録層と、基材の感熱記録層側とは反対側の表面に設けられた粘着層とを備えたラベル連続体（粘着テープ）を用いることができ、長尺状のシート２を紙管１に巻き付けることにより、ロール状に仕上げられている。
【００１９】
基材としては、例えば、上質紙、アート紙、コート紙、クラフト紙、キャストコート紙、これらの紙基材にポリエチレンなどの熱可塑性樹脂をラミネートしたラミネート紙などの紙類、合成紙、不織布などの多孔質材料を用いることができる。また、透明の合成樹脂フィルム、例えば、ポリプロピレンフィルム、ポリエチレンテレフタレートフィルム、ポリスチレンフィルム、ポリカーボネートフィルムなどを用いることができる。
【００２０】
感熱記録層を形成する材料としては、加熱により発色する発色剤、顕色剤、結着剤、及び滑剤などが挙げられる。
【００２１】
上記の発色剤としては、例えば、２−アニリン−３メチル−６−（Ｎ−メチル−Ｐ−トルイジノ）フルオランなどのロイコ染料を挙げることができる。
【００２２】
上記の顕色剤としては、例えば、３，３’−ジアリル−４，４’−ジヒドロキシジフェニルスルホンなどを挙げることができる。
【００２３】
上記の結着剤としては、例えば、スチレン−ブタジエン共重合体などを挙げることができる。
【００２４】
上記の滑剤としては、例えば、ポリエチレン、ステアリン酸亜鉛、パラフィンなどを挙げることができる。
【００２５】
また、粘着層は、基材の感熱記録層側とは反対側の表面に設けられており、例えば、アクリル系粘着剤、ゴム系粘着剤、シリコーン系粘着剤、エマルジョン型粘着剤、有機溶剤を使用した溶剤型粘着剤、ホットメルト型粘着剤等により形成されている。
【００２６】
なお、上記シート２として、上述のラベル連続体（粘着テープ）の基材として挙げた上質紙等の紙類、合成紙、不織布などの多孔質材料、及び透明の合成樹脂フィルム等を単独で用いることができる。
【００２７】
ここで、本考案の紙管１においては、図２に示すように、表面に、複数（図２においては２個）の管理用マーク３が印刷されている点に特徴がある。
【００２８】
この管理用マークとしては、例えば、バーコート等の１次元コードや、ＱＲコード（登録商標）等の２次元コードが挙げられる。
【００２９】
そして、このような構成により、図１に示すロール状の製品において、紙管１に巻き付けられたシート２を使い切ると、紙管１の表面に設けられた複数の管理用マーク３が現れ、当該管理用マーク３を、例えば、バーコードリーダ等で読み取ることが可能になる。
【００３０】
従って、紙管１の表面に、互いに異なる複数の管理用マーク３を設けた場合には、複数の情報に関する管理が可能になる。一方、同一の管理用マーク３を複数設けた場合には、一つの管理用マーク３が破損した場合であっても、他の管理用マーク３を読み取ることにより管理が可能になる。
【００３１】
より具体的には、例えば、図２に示す管理用マーク３において、一方の管理用マーク３として在庫管理用のマーク（例えば、製品のロット情報に関するマーク）を設けるとともに、他方の管理用マーク３として発注管理用のマークを設けることにより、在庫管理用のマークの読み取りにより適正な在庫管理（例えば、製品の先入れや先出しによる在庫数の適正な管理）が可能になるとともに、発注管理用のマークの読み取りにより、製品の発注を希望するユーザーの発注作業（すなわち、ユーザーによる発注管理）を簡略化することが可能になる。
【００３２】
また、図２に示す２個の管理用マーク３において、同一の管理用マーク３を設けることにより、例えば、一方の管理用マーク３が削れた場合や、汚れた場合であっても、他方の管理用マーク３を読み取ることができるため、適正な在庫管理やユーザーによる発注管理等を確実に行うことが可能になる。
【００３３】
このように、本考案においては、シート２を使い切った場合であっても、有効に利用することができる紙管１を提供することが可能になる。
【００３４】
なお、上記実施形態は以下のように変更しても良い。
【００３５】
例えば、上記実施形態においては、紙管１の表面に、複数の管理用マーク３を印刷する構成としたが、図３に示すように、紙管１の表面に、管理用マークが印刷されたシール４を貼り付ける構成としてもよい。このような構成においても、上述の実施形態の場合と同様の効果を得ることができる。
【産業上の利用可能性】
【００３６】
以上に説明したように、本考案は、ラベル連続体等のシート状の製品が巻き付けられる紙管に、特に有用である。
【符号の説明】
【００３７】
１    紙管
２    シート
３    管理用マーク
４    管理用マークが印刷されたシール
【図１】
0003231484.tif 000003
【図２】
0003231484.tif 000004
【図３】
0003231484.tif 000005